(57)【要約】【課題】効率的な光照射を実現する。【解決手段】ＬＥＤが実装された基板が、透光性の直管内において長手方向に挿入固定され、ＬＥＤによる照射部を有するＬＥＤランプ２０と、ＬＥＤランプが取り付けられるソケット及びＬＥＤに電源供給を行う電源ユニットを備える本体１０と、ＬＥＤランプ２０の周縁であって基板側端部の近傍から、本体側へ延在する反射板３０とを具備する。【選択図】図１
2012204146.tif 000002
【特許請求の範囲】
【請求項１】
ＬＥＤが実装された基板が、透光性の直管内において長手方向に挿入固定され、ＬＥＤによる照射部を有するＬＥＤランプと；
ＬＥＤランプが取り付けられるソケット及びＬＥＤに電源供給を行う電源ユニットを備える本体と；
ＬＥＤランプの周縁であって基板側端部の近傍から、本体側へ延在する反射板と
を具備することを特徴とするＬＥＤ照明器具。
【請求項２】
ＬＥＤランプの周縁と反射板の間に間隙が設けられていることを特徴とする請求項１に記載のＬＥＤ照明器具。
【請求項３】
ＬＥＤランプに近接している反射板の端部は、ＬＥＤランプ内の基板側端部よりも上側に位置付けられていることを特徴とする請求項１または２に記載のＬＥＤ照明器具。
【発明の詳細な説明】
【技術分野】
【０００１】
本発明の実施形態は、ＬＥＤ照明器具に関するものである。
【背景技術】
【０００２】
従来の蛍光灯照明器具においては、長手方向に直交する面が現れる断面図は図８に示すようである。下面が開口した正方形状の断面を有する本体１００の凹部１０１に放物線状の曲面を断面とする反射板１０２が設けられている。反射板１０２の最上部から下方に少し下がった位置に、蛍光ランプ１０４が設けられている。このため、蛍光ランプ１０４から射出された光が矢印により示されるように反射されたり直進したりして、照明対象物の照明を行う。
【０００３】
直管形ＬＥＤランプを用いた照明器具においては、上記蛍光ランプ１０４に代えて直管形ＬＥＤランプを取り付けている。しかしながら、直管形ＬＥＤランプにおいては、基板に実装されたＬＥＤから射出された光は、基板の裏面側に進むことがないため、この空間が無駄である。また、反射された光がＬＥＤランプに吸収されるおそれがあり、また、不要な方向へ進む光もあり、器具効率が悪いという問題があった。
【０００４】
また、従来の蛍光灯照明器具においては、図９に示すようにルーバ１１０が設けられており、反射板１０２Ａ、１０２Ｂを備え、図８と同一の構成要素には同一の符号を付した構成を有するものも知られている。この図９のタイプの照明器具に対して直管形ＬＥＤランプを適用した場合においても、上記の図８に示すタイプの照明器具と同じ問題点を有している。
【０００５】
また、基板の一部に切り欠きを設けて、ＬＥＤから照射された光を基板の裏面側へ通し、これを反射板により反射させるように構成したＬＥＤ照明器具も知られている（特許文献１参照）
【先行技術文献】
【特許文献】
【０００６】
【特許文献１】特開２０１１−８９２０号公報
【発明の概要】
【発明が解決しようとする課題】
【０００７】
本発明は上記のようなＬＥＤ照明器具の現状に鑑みてなされたもので、その目的は効率的な光照射を実現することが可能なＬＥＤ照明器具を提供することである。
【課題を解決するための手段】
【０００８】
実施形態のＬＥＤ照明器具は、ＬＥＤが実装された基板が、透光性の直管内において長手方向に挿入固定され、ＬＥＤによる照射部を有するＬＥＤランプと；ＬＥＤランプが取り付けられるソケット及びＬＥＤに電源供給を行う電源ユニットを備える本体と；ＬＥＤランプの周縁であって基板側端部の近傍から、本体側へ延在する反射板とを具備することを特徴とする。
【発明の効果】
【０００９】
実施形態のＬＥＤ照明器具によれば、反射板が、ＬＥＤランプの周縁であって基板側端部の近傍から、本体側へ延在するように設けられているので、ＬＥＤから射出され反射板へ向かう光を、基板側端部の近傍から本体側へ延在する反射板の反射によって照明対象側へ向かわせることが可能であり、機器効率の向上が期待される。
【図面の簡単な説明】
【００１０】
【図１】第１の実施形態のＬＥＤ照明器具を示す一部断面斜視図。
【図２】第１の実施形態のＬＥＤ照明器具要部を示す斜視図。
【図３】第１の実施形態のＬＥＤ照明器具について長手方向に直交する面の断面を示す断面図。
【図４】図３の要部拡大図。
【図５】第１の実施形態のＬＥＤ照明器具をＬＥＤランプ側から目視した平面図。
【図６】第２の実施形態のＬＥＤ照明器具をＬＥＤランプ側から目視した平面図。
【図７】第２の実施形態のＬＥＤ照明器具について長手方向に直交する面の断面を示す断面図。
【図８】第１の従来例の照明器具について長手方向に直交する面の断面を示す断面図。
【図９】第２の従来例の照明器具について長手方向に直交する面の断面を示す断面図。
【発明を実施するための形態】
【００１１】
本発明の実施形態に係るＬＥＤ照明器具は、ＬＥＤが実装された基板が、透光性の直管内において長手方向に挿入固定され、ＬＥＤによる照射部を有するＬＥＤランプと、ＬＥＤランプが取り付けられるソケット及びＬＥＤに電源供給を行う電源ユニットを備える本体と、ＬＥＤランプの周縁であって基板側端部の近傍から、本体側へ延在する反射板とを具備することを特徴とする。
【００１２】
直管は透光性を有していれば良く、また、口金から突出する端子は、両端に２本ずつ突出したもの、一端に２本突出し且つ他端に１本突出したものなど様々なものを用いることができる。反射板の湾曲形状によって、反射板により反射された光がＬＥＤランプへ向かうことがないように構成することができる。反射板の材質に特に限定はない。
【００１３】
実施形態に係るＬＥＤ照明器具は、ＬＥＤランプの周縁と反射板の間に間隙が設けられていることを特徴とする。間隙は、ＬＥＤランプの両側にそれぞれ、２〜５ｍｍとすることができる。この間隙によって、反射板と本体との間の熱放出をすることが期待できる。
【００１４】
実施形態に係るＬＥＤ照明器具では、ＬＥＤランプに近接している反射板の端部は、ＬＥＤランプ内の基板側端部よりも上側に位置付けられていることを特徴とする。
【００１５】
各図において、同一の構成要素には同一の符号を付して重複する説明を省略する。第１の実施形態に係るＬＥＤ照明器具は、図１に示されているように、本体１０とＬＥＤランプ２０と反射板３０とを備えている。本体１０は四角筒体の下側が開口した形状を有し、側板１１の下端部１２は、９０度に外側に折り曲げられて平面部１３とされ、更に平面部１３の先端部が９０度に上側に折り曲げられて立設した外縁板１４が形成されている。
【００１６】
本体１０の天板部１５には複数の放熱用のスリット１６が形成されていると共に、取り付け器具やネジを挿入するための穴１７が形成されている。天板部１５の内側には、電源ユニット１８が設けられており、図示しない電源コードが本体１０から外部へ延びており、例えば商用交流電源が上記電源ユニット１８へ供給される。
【００１７】
本体１０における長手方向の両端部には、蓋体４０が係合されて固定される。ここでは１つの蓋体４０を示しているが、実際には本体１０における長手方向の両端部に存在している。２つの蓋体４０の内側には、図２に示されるようにソケット４１がそれぞれ設けられ、電源ユニット１８から直流電圧が供給されている。
【００１８】
本実施形態にＬＥＤ照明器具に用いられるＬＥＤランプ２０は、透光性の円筒状の直管２１内に、ＬＥＤ２２が実装された基板２３が長手方向に挿入固定されている。基板２３は１または複数枚により構成され、各基板２３に複数のＬＥＤ２２が実装されているＬＥＤランプ２０における一方の口金２４には、先端が外側にＬ字状に折り曲げられた２本の給電端子２５が設けられている。ＬＥＤランプ２０における他方の口金２６には、先端が両側に僅かに突出したアース端子２７が設けられている。給電端子２５とアース端子２７はＬＥＤ２２に接続されている。
【００１９】
図２に示したソケット４１は給電端子２５に対応するものであり、給電端子２５がスリット４１Ａに挿入されて、回転されて給電端子２５がソケット４１内の給電金具と電気的に接続される。アース端子２７に対応する図示しないソケット４１には、アース端子２７を挿入する穴部が形成され、穴部にはアース端子２７と電気的接続を得るための給電金具が設けられている。上記のソケット４１、４１に給電端子２５とアース端子２７を挿入して回転することにより、ＬＥＤランプ２０が保持されると共に、ＬＥＤ２２へ直流電源が給電される。
【００２０】
本体１０における側板１１の下端部１２に近接する内側の位置には、反射板３０の端縁が折り返されて縦に立った縁部３１が形成されており、この縁部３１の下方には、本体１０の平面部１３と同一平面を構成する平坦部３２が形成されている。
【００２１】
平坦部３２に続く板面は、円や楕円などの弧に相当する断面形状の曲面よりなる反射面３３を有している。反射面３３はＬＥＤランプ２０に近付くように延在し、ＬＥＤランプ２０の周縁近傍において先端部３４から外側に折り曲げられて上面部３５が形成されている。図３に示されるように、先端部３４は、基板２３の側端部２３Ａの近傍に臨んでいる。ＬＥＤランプ２０の周縁と反射板３０の先端部３４との間に間隙（最短距離）Ｓが設けられている。間隙Ｓの寸法は２〜５ｍｍとすることができる。
【００２２】
図４は、ＬＥＤランプ２０の周縁と反射板３０の先端部３４との拡大図である。基板２３は、例えば直管２１の直径Ｄの位置よりも上方に保持されている。反射板３０の先端部３４は、基板２３の側端部２３Ａから（側端部２３Ａと同レベルを含み）上方に位置付けられることができる。ＬＥＤランプ２０の周縁と反射板３０の先端部３４との間隙Ｓは、本体１０と反射板３０とにより形成された部屋の放熱を行う孔として作用することができる。
【００２３】
上記のＬＥＤ照明器具を下側から目視した場合には、間隙Ｓは全て見えることはなく、図４に示す寸法Ｓａとなって図５に示すように見える。反射板３０の先端部３４が、基板２３の側端部２３Ａよりも上方に位置するようになるに連れて、間隙Ｓが徐々に狭くなって見えることになる。
【００２４】
以上のように構成されたＬＥＤ照明器具によれば、ＬＥＤから射出された光は図３の矢印に示すように、反射板３０の反射面３３によって反射され、或いは、照明対象へ直進し、ＬＥＤランプ２０へ戻ることなく、機器効率の向上が期待できる。また、反射板３０の反射面３３がＬＥＤランプ２０の基板２３の裏面側に存在することがなく、ＬＥＤランプ２０の基板２３の裏面側において反射板３０との距離をとる必要がなく、機器の小型化を図り、材料を削減して低コスト化を図ることが期待される。
【００２５】
図６と図７に、第２の実施形態に係るＬＥＤ照明器具を示す。このＬＥＤ照明器具にあっては、反射板３０の開口部に、ルーバ羽根５１により構成されるルーバ５０が設けられている。ルーバ羽根５１は、台形の傾斜した２辺の形状が反射板３０の反射面３３に沿うように曲線辺が形成されており、ＬＥＤ照明器具の長手方向に直交するように複数枚並べられて設けられている。ルーバ羽根５１の曲線辺には、図７に示すように突片５２が外側へ向かって突出して形成されており、突片５２は反射板３０に形成された孔を介して反射面３３の裏面へ突き抜けることによりルーバ羽根５１を保持する。反射板３０に形成された孔を介して反射面３３の裏面へ突き抜けた突片５２は、ねじ曲げられて、ルーバ羽根５１は反射板３０に固定される。
【００２６】
この第２の実施形態に係るＬＥＤ照明器具において、他の構成は第１の実施形態に係るＬＥＤ照明器具の構成と同様である。特に、図７に示されるように、先端部３４は、基板２３の側端部２３Ａの近傍に臨んでいる。ＬＥＤランプ２０の周縁と反射板３０の先端部３４との間に間隙Ｓが設けられている。
【００２７】
以上のように構成された第２の実施形態に係るＬＥＤ照明器具によれば、ＬＥＤから射出された光は、反射板３０の反射面３３によって反射され、或いは、照明対象へ直進し、ＬＥＤランプ２０へ戻ることなく、機器効率の向上が期待できる。また、ルーバによって不要な方向への光の照射が防止され、快適な照明環境が実現されることが期待される。更に、第１の実施形態に係るＬＥＤ照明器具と同様に、機器の小型化を図り、材料を削減して低コスト化を図ることが期待される。
【符号の説明】
【００２８】
１０  本体
１８  電源ユニット
２０  ＬＥＤランプ
２１  直管
２３  基板
２２  ＬＥＤ
２３  各基板
２３  基板
３０  反射板
４０  蓋体
５０  ルーバ
【図１】
2012204146.tif 000003
【図２】
2012204146.tif 000004
【図３】
2012204146.tif 000005
【図４】
2012204146.tif 000006
【図５】
2012204146.tif 000007
【図６】
2012204146.tif 000008
【図７】
2012204146.tif 000009
【図８】
2012204146.tif 000010
【図９】
2012204146.tif 000011